(57)【要約】【課題】地中に設置された消火栓の出水端に接続し、地上の吐水口に送水を行なう送水装置において、地中型消火栓への取り付け、取外し等の作業を容易にし、斯かる作業における作業者の手間を軽減させることができる送水装置を提供する。【解決手段】一端が出水端２０１と接続し、蛇口７４に水を送る送水管１０と、送水管１０の外周面に設けられた把持部４０と、送水管１０の他端と接続しており、蛇口７４を有する吐水部７０とを備え、把持部４０を用いて消火栓２００の出水端２０１への取り付け・取外し等を行なう。【選択図】図５
2014040738.tif 000002
【特許請求の範囲】
【請求項１】
地中に設置された消火栓の出水端に接続し、地上の吐水口に送水を行なう送水装置において、
一端が前記出水端と接続し、前記吐水口に水を送る送水管と、
該送水管の外周面に設けられた把持部と、  
前記送水管の他端と接続しており、前記吐水口を有する吐水部と
を備えることを特徴とする送水装置。
【請求項２】
前記送水管は、前記出水端と嵌着する嵌着部を一端に備え、
前記把持部は、前記送水管の長手方向に移動する可動部材を備えており、
前記可動部材の移動に応じて、前記嵌着部と前記出水端とが嵌脱するように構成してあることを特徴とする請求項１に記載の送水装置。
【請求項３】
前記送水管は長手方向に２分割されており、前記一端側の一方が他方を回転可能に保持していることを特徴とする請求項１又は２に記載の送水装置。
【請求項４】
前記吐水部は前記送水管の他端に挿入される挿入部を備えており、
前記送水管は前記挿入部と嵌脱する外嵌部を備えることを特徴とする請求項１から３の何れか一つに記載の送水装置。
【請求項５】
前記挿入部は前記吐水部から分離可能に構成されていることを特徴とする請求項３に記載の送水装置。
【発明の詳細な説明】
【技術分野】
【０００１】
本発明は、地中に設置された消火栓の出水端に接続し、地上の吐水口に送水する送水装置に関する。
【背景技術】
【０００２】
従来から、震災、火災などの災害時の消火に用いられる水を供給するために消火栓を路上、又は建物の内外に設けてある。しかし、このような消火栓の場合、常時、不特定多数の人が利用可能であることから、いたずらなどによる漏水或いは盗水、又は通行の邪魔となる等のおそれがあった。
【０００３】
このような問題を解決するために、消火栓を地中に設けた、いわゆる地中型消火栓が普及している。
【０００４】
また、特許文献１においては、上端の蛇口に繋がるパイプが上部及び下部に二分されて、上部パイプが上下移動出来るように下部パイプに嵌装されることにより、上部パイプが地上に出没できるように構成された給水栓が開示されている。
【先行技術文献】
【特許文献】
【０００５】
【特許文献１】特開平１１−２１００２７号公報
【発明の概要】
【発明が解決しようとする課題】
【０００６】
一方、上述したような、地中型消火栓の場合は、出水口まで地上からは作業者の手が届かない深さに設けられた場合が多いので、該出水口から水を地上まで導く作業は、作業者にとって手間のかかる困難な作業であった。
【０００７】
しかしながら、特許文献１に係る給水栓においては、上部パイプが地上に出没できるので、このような問題を解決できるものの、斯かる発明の適用のためには、上述したような構成を必要とすることから、既存設備、すなわち、既に設置されている地中型消火栓には適用できないという問題がある。
【０００８】
本発明は、斯かる事情に鑑みてなされたものであり、その目的とするところは、地中に設置された消火栓の出水端に接続し、地上の吐水口に送水を行なう送水装置において、一端が前記出水端と接続し、前記吐水口に水を送る送水管と、該送水管の外周面に設けられた把持部と、前記送水管の他端と接続しており、前記吐水口を有する吐水部とを備え、前記把持部を用いて前記消火栓の出水端への取り付け・取外し等を行なうことにより、地中型消火栓への取り付け、取外し等の作業を容易にし、斯かる作業における作業者の手間を軽減させることができる送水装置を提供することにある。
【課題を解決するための手段】
【０００９】
本発明に係る送水装置は、地中に設置された消火栓の出水端に接続し、地上の吐水口に送水を行なう送水装置において、一端が前記出水端と接続し、前記吐水口に水を送る送水管と、該送水管の外周面に設けられた把持部と、前記送水管の他端と接続しており、前記吐水口を有する吐水部とを備えることを特徴とする。
【００１０】
本発明にあっては、例えば、前記送水装置を消火栓に取り付ける場合、作業者が前記把持部を持って送水管の一端を前記出水端と接続させる作業を行なう。これによって、消火栓の出水端からの水が、前記送水管を介して前記吐水部の吐水口に送水される。
【００１１】
本発明に係る送水装置は、前記送水管は、前記出水端と嵌着する嵌着部を一端に備え、前記把持部は、前記送水管の長手方向に移動する可動部材を備えており、前記可動部材の移動に応じて、前記嵌着部と前記出水端とが嵌脱するように構成してあることを特徴とする。
【００１２】
本発明にあっては、例えば、前記送水装置を消火栓に取り付け、又は消火栓から取り外す場合、作業者は、前記把持部の可動部材を前記送水管の長手方向に適宜移動させて、前記嵌着部と前記出水端とを嵌着させ、又は離脱させる。
【００１３】
本発明に係る送水装置は、前記送水管は長手方向に２分割されており、前記一端側の一方が他方を回転可能に保持していることを特徴とする。
【００１４】
本発明にあっては、２分割された送水管の中、前記一方の部分が、前記他方の部分を回転可能に保持しているので、前記他方の部分は前記送水管の軸心を中心に回転することができる。
【００１５】
本発明に係る送水装置は、前記吐水部は前記送水管の他端に挿入される挿入部を備えており、前記送水管は前記挿入部と嵌脱する外嵌部を備えることを特徴とする。
【００１６】
本発明にあっては、前記吐水部の挿入部が前記送水管の外嵌部と嵌脱することによって、前記吐水部と前記送水管との接続が行なわれる。
【００１７】
本発明に係る送水装置は、前記挿入部は前記吐水部から分離可能に構成されていることを特徴とする。
【００１８】
本発明にあっては、作業者は前記吐水部から前記挿入部を取外し、必要に応じて、他の部品を取り付ける。
【発明の効果】
【００１９】
本発明によれば、前記送水装置の地中型消火栓への取り付け及び取外しが簡単になり、斯かる作業における作業者の手間を省き、作業時間を短縮させることができる。
【００２０】
本発明によれば、前記送水装置は、送水管と吐水部とが着脱できるように構成されているので、その保管及び持ち運びにおいて利便性を高めることができる。
【００２１】
本発明によれば、前記吐水部から前記挿入部を取外しでき、必要に応じて他の部品を取り付けることが出来る。
【図面の簡単な説明】
【００２２】
【図１】本発明の実施の形態１に係る送水装置を示す斜視図である。
【図２】本発明の実施の形態１の送水装置における、送水管の外観を示す斜視図である。
【図３】本発明の実施の形態１の送水装置における、消火栓側接続部の要部構成を示す断面図である。
【図４】本発明の実施の形態１の送水装置における、吐水部の外観を示す斜視図である。
【図５】本発明の実施の形態１に係る送水装置を、消火栓に取り付けた状態の一例を表す例示図である。
【図６】本発明の実施の形態２に係る送水装置に取り付けられるエルボの一例を示す例示図である。
【図７】本発明の実施の形態２に係る送水装置に取り付けられるユニットの一例を示す例示図である。
【発明を実施するための形態】
【００２３】
以下に、本発明の実施の形態に係る送水装置を図面に基づいて詳述する。
【００２４】
（実施の形態１）
図１は本発明の実施の形態１に係る送水装置１００を示す斜視図である。本発明の実施の形態１に係る送水装置１００は、地中に設置された消火栓（以下、地中型消火栓という）と接続し、地中型消火栓からの水を地上の吐水口に導く。
【００２５】
送水装置１００は、円筒状をなしており、その一端が地中型消火栓の出水端（図示せず）と接続する送水管１０と、送水管１０を介して地中型消火栓から流れ込む水を吐水する吐水口（例えば、蛇口）を有する吐水部７０とを備えている。
【００２６】
図２は本発明の実施の形態１の送水装置１００における、送水管１０の外観を示す斜視図である。送水管１０は、円筒状であり、前記地中型消火栓からの水を吐水部７０に送る通水パイプ３０と、通水パイプ３０の取扱いに用いられる把持部４０と、通水パイプ３０の一端部に設けられており、通水パイプ３０の一端を前記地中型消火栓の出水端と接続させる消火栓側接続部５０と、通水パイプ３０の他端部に設けられており、通水パイプ３０の他端を吐水部７０と接続させる吐水部側接続部２０とを備えている。
【００２７】
吐水部側接続部２０は、後述する吐水部７０の挿入部を外嵌することにより、通水パイプ３０の他端部と吐水部７０とを接続させる。吐水部側接続部２０は、前記挿入部を外嵌する外嵌部２１を有しており、外嵌部２１及び前記挿入部はいわゆるクランプ機構による接続固定機構をなしている。換言すれば、外嵌部２１は、前記クランプ機構における受口であり、前記挿入部は挿口である。
【００２８】
すなわち、外嵌部２１は、先端に前記挿入部が挿入される挿入口２２が形成され、前記挿入部の外径と略等しい内径を有しており、外周面に、斯かる接続固定機構を操作する操作レバー２３が設けられている。例えば、前記挿入部が挿入口２２を介して外嵌部２１内に挿入された場合、作業者は操作レバー２３を操作することにより、外嵌部２１の内径を狭め、外嵌部２１（通水パイプ３０の他端部）と、前記挿入部（吐水部７０）とを接続させることができる。斯かる接続固定機構はそれ自体公知の技術であり、詳しい説明を省略する。
【００２９】
消火栓側接続部５０（嵌着部）は通水パイプ３０の一端部の外周面に周設されており、いわゆる差込式金具機構を用いて通水パイプ３０の一端を前記地中型消火栓の出水端と接続させる。図３は本発明の実施の形態１の送水装置１００における、消火栓側接続部５０の要部構成を示す断面図である。説明の便宜上、送水装置１００が消火栓に接続された場合を例にあげて説明する。図中、２００は消火栓を示している。
【００３０】
消火栓側接続部５０は、消火栓２００の出水端２０１の先端が当接する当接部５１と、当接部５１の内側に設けられたＯリング５３と、当接部５１内に挿入された出水端２０１を係止する係止爪５６と、係止爪５６を通水パイプ３０の径方向外側に押し付ける押し輪５２と、係止爪５６を通水パイプ３０の径方向内側に押し付けるバネ５５と、これらを収容する収容輪５７と、収容輪５７の外周面に取り付けられ、収容輪５７を保護する保護タイヤ５４とを備えている。
【００３１】
当接部５１は、円筒状をなしており、一端側には消火栓２００の出水端２０１が挿入される開口を有し、他端側には通水パイプ３０の一端が内嵌されている。当接部５１は、前記開口側の内径が出水端２０１の先端部の外径と略等しい。また、当接部５１は、出水端２０１の先端に形成された出水口２０３の縁と当接する当接面５１１を形成しており、出水端２０１の当接部５１内への挿入の際、当接面５１１及びＯリング５３によって、適宜その位置が調整される。
【００３２】
一方、出水端２０１には、係止爪５６との係合のために、その外周面に段差２０２が設けられている。係止爪５６は、縦断面視横倒れＬ字状をなしており、その一端が段差２０２と当接することによって係合し、出水端２０１を固定する。また、係止爪５６は、押し輪５２及びバネ５５によって、通水パイプ３０の径方向の外側又は内側に摺動するように構成されている。更に、係止爪５６は、他端に、通水パイプ３０の中心から外側に向けて傾斜した傾斜面５６１が形成されており、傾斜面５６１が、後述する押し輪５２の傾斜面５２１と当接するように構成されている。
【００３３】
バネ５５は、係止爪５６及び収容輪５７の内壁の間に介在しており、常に、係止爪５６を通水パイプ３０の径方向の内側に押し付ける。すなわち、出水端２０１が当接部５１内に挿入された場合、バネ５５によって係止爪５６が通水パイプ３０の径方向の内側に摺動し、上述した係合が行なわれる。
【００３４】
押し輪５２は、後述する引上ロッド４３の一端に固定されており、当接部５１の外周面及び収容輪５７の内壁の間に挟持されている。従って、引上ロッド４３が上下方向（通水パイプ３０の長手方向）に移動する際、当接部５１の外周面及び収容輪５７の内壁に案内されて押し輪５２も共に上下方向に移動する。
【００３５】
また、押し輪５２は、係止爪５６の傾斜面５６１に対応する傾斜面５２１を有しており、押し輪５２の傾斜面５２１及び係止爪５６の傾斜面５６１は常に当接するように構成されている。これによって、押し輪５２が上方向に移動する際、係止爪５６が通水パイプ３０の径方向の外側に押し付けられる。
【００３６】
すなわち、引上ロッド４３の上方向への移動に応じて、押し輪５２も共に上方向に移動するが、この際、押し輪５２の傾斜面５２１及び係止爪５６の傾斜面５６１の間に摺動が生じる。しかし、当接部５１の外周面及び収容輪５７の内壁によって、押し輪５２は上方向への移動のみに制限されるので、係止爪５６に対しては傾斜面５６１を介して通水パイプ３０の径方向の外側に向かう押圧力が働き、係止爪５６を斯かる方向に摺動させる。
【００３７】
通水パイプ３０は、例えば、ステンレススチールからなる円筒状の直管であり、前記一端部を含む下部パイプ３２と、前記他端部を含む上部パイプ３１とに２分割されている。下部パイプ３２は上部パイプ３１の外径より少し大きい内径を有しており、上部パイプ３１は一端部が下部パイプ３２に内嵌されて、その軸心を中心に回転可能に保持されている。
【００３８】
従って、吐水部側接続部２０に吐水部７０が接続された状態においても、通水パイプ３０の軸心を中心に吐水部７０が自由に回転でき、斯かる作業における使い勝手が向上される。また、後述するように、吐水部７０に代わって消火ホースを付けて使用する場合は、斯かる自由回転によって、前記消火ホースにかかる負担（負荷）を軽減でき、該消火ホースにおける変形の発生を未然に防止できる。
【００３９】
通水パイプ３０の長手方向における中間部には、例えば、通水パイプ３０の取付・取外に用いられ、また消火栓側接続部５０を操作する把持部４０が設けられている。把持部４０は、通水パイプ３０の外周面に対称配置された固定棒４１，４１及び可動棒４２，４２を有している。
【００４０】
固定棒４１は、通水パイプ３０の外周面に固定されており、通水パイプ３０の径方向の外側に延びる棒状部材である。作業者は固定棒４１を用いて、持ち運び等送水管１０の取扱いを行なう。
【００４１】
可動棒４２（可動部材）は、通水パイプ３０の外周面上を摺動可能に設けられた円筒状の上下動輪４４の外周面に固定されている。すなわち、上下動輪４４の内径は通水パイプ３０の外径と略同じであり、上下動輪４４は通水パイプ３０の外周面上を上下方向に摺動できる。また、上下動輪４４の外周面には、可動棒４２，４２が相互対称配置されており、例えば、作業者が可動棒４２，４２を握って上下方向に移動させた場合、上下動輪４４によって案内される。
【００４２】
また、可動棒４２，４２は、基部４５に、換言すれば通水パイプ３０側端部に、押し輪５２を上方向に引き上げる引上ロッド４３が夫々連結されている。引上ロッド４３は、例えば、直線状の細い金属棒であり、一端が押し輪５２に固定され、他端が可動棒４２の基部４５に固定されている。より詳しくは、引上ロッド４３の他端が可動棒４２を径方向に貫通して上方に突出しており、引上ロッド４３の斯かる端部を可動棒４２の基部４５で、例えば、ナットを用いて固定している。
【００４３】
従って、作業者が可動棒４２，４２及び固定棒４１，４１を共に把持した場合、可動棒４２，４２が上方向に移動し、これに応じて、引上ロッド４３，４３が上方向に引き上げられ、押し輪５２も共に上方向に移動する。この際、上述したように、係止爪５６に対しては通水パイプ３０の径方向の外側に向かう力が働き、係止爪５６が通水パイプ３０の径方向の外側に摺動し、消火栓２００の出水端２０１と、消火栓側接続部５０との係止が解除される。
【００４４】
なお、把持部４０と、消火栓側接続部５０との間には、引上ロッド４３の上下動を案内する案内輪６０が設けられている。案内輪６０は通水パイプ３０の外周面上に設けられており、所定の長さを有する円筒状をなしている。また、案内輪６０は、長さ方向に貫通する貫通穴を２つ有しており、夫々の貫通穴に引上ロッド４３が挿通されている。これによって、引上ロッド４３の上下動が案内される。
【００４５】
図４は本発明の実施の形態１の送水装置１００における、吐水部７０の外観を示す斜視図である。吐水部７０は、送水管１０の吐水部側接続部２０と接続する挿入部７１と、挿入部７１と接続される分岐用継手７２、分岐用継手７２にその一端が接続される連結パイプ７３，７３と、連結パイプ７３，７３の他端に接続された蛇口７４，７４（吐水口）とを備えている。
【００４６】
挿入部７１は、円筒状をなしており、その一端部が吐水部側接続部２０の外嵌部２１に挿入されて外嵌されることにより、上述したようなクランプ機構による接続固定が行なわれる。換言すれば、挿入部７１は、前記クランプ機構における挿口である。挿入部７１の前記一端部の外周面には、斯かるクランプ機構のために、凹溝７１１が形成されている。
【００４７】
一方、挿入部７１の他端部には雄ネジ加工が施されており、これを用いて分岐用継手７２が螺着される。換言すれば、吐水部７０は、挿入部７１が分離可能に構成されている。
【００４８】
分岐用継手７２は、Ｔ字状をなしており、３つの開口を有している。３つの開口の中、１つには、上述したように、挿入部７１の他端部との螺合のために、その内側に雌ねじ加工が施されている。他の２つの開口は、夫々、連結パイプ７３，７３を介して蛇口７４，７４に連結されている。
【００４９】
すなわち、分岐用継手７２の他の２つの開口には、夫々、連結パイプ７３，７３の一端が、例えば、螺嵌されている。また、連結パイプ７３，７３の他端には、夫々蛇口７４，７４が螺嵌されている。
【００５０】
以上の構成によって、消火栓２００からの水は、送水管１０を介して、吐水部７０に流れ込み、蛇口７４から吐水される。
【００５１】
以下に、本発明の実施の形態１に係る送水装置１００の消火栓２００への取り付け及び取外しについて説明する。図５は本発明の実施の形態１に係る送水装置１００を、消火栓２００に取り付けた状態の一例を表す例示図である。
【００５２】
作業者は、把持部４０を持って、送水管１０の消火栓側接続部５０を、消火栓２００の出水端２０１に合わせた後、そのまま把持部４０を押し下げる。この際、出水端２０１が消火栓側接続部５０（当接部５１）内に挿入され、出水口２０３の縁が当接部５１の内側（当接面５１１）と当接した場合、バネ５５によって係止爪５６が通水パイプ３０の径方向の内側に摺動し、上述したように、出水端２０１及び消火栓側接続部５０の係合が行なわれる。詳しい事項は、既に説明しており、詳しい説明を省略する。以降、作業者は消火栓２００のバルブ２０４を開け、蛇口７４，７４に水が流れる。
【００５３】
一方、送水装置１００を取り外す場合、作業者は、消火栓２００のバルブ２０４を閉じた後、可動棒４２，４２及び固定棒４１，４１を共に把持して可動棒４２，４２を上方向に移動させる。これに応じて、引上ロッド４３，４３が上方向に引き上げられ、押し輪５２も共に上方向に移動する。これによって、係止爪５６が通水パイプ３０の径方向の外側に摺動し、消火栓２００の出水端２０１と、消火栓側接続部５０との係止が解除され、送水装置１００を分離できる。
【００５４】
本発明に係る送水装置１００は以上のような構成を有するので、地中型消火栓への取り付け及び取外しが簡単であり、斯かる作業における作業者の手間を省き、作業時間を短縮させることができる。
【００５５】
また、本発明に係る送水装置１００は、送水管１０と吐水部７０とが着脱できるように構成されているので、その保管及び持ち運びにおいて利便性を高めることができる。
【００５６】
（実施の形態２）
実施の形態１においては、吐水口として、送水装置１００が蛇口７４，７４を備える場合を例として説明したが、本発明はこれに限るものでなく、例えば、吐水口として、消火ホースを着けることも可能である。
【００５７】
上述したように、吐水部７０は、挿入部７１が分離可能に構成されている。従って、挿入部７１の一端部が送水管１０（吐水部側接続部２０）と接続された状態において、挿入部７１の他端部に分岐用継手７２でなくいわゆるエルボを接続させ、該エルボに消火ホースを取り付ける。
【００５８】
図６は本発明の実施の形態２に係る送水装置１００に取り付けられるエルボの一例を示す例示図である。図中、３００は斯かるエルボを示す。
【００５９】
エルボ３００は、その屈曲部３０４に設けられており、取扱いに用いられるハンドル３０１と、一端部に設けられており、挿入部７１の他端部と接続する接続端３０２と、他端部に設けられており、消火ホースと接続するホース接続金具３０３とを備えている。
【００６０】
接続端３０２の内周面には、挿入部７１の他端部の雄ネジに対応する雌ネジ加工が施されており、これを用いてエルボ３００が挿入部７１に螺着される。
【００６１】
また、屈曲部３０４は、接続端３０２側の端部が接続端３０２に内嵌されており、接続端３０２の軸心を中心に回転可能に構成されている。例えば、作業者がホース接続金具３０３に消火ホースを取り付けて、消火作業を行なう場合、必要に応じてハンドル３０１を適宜操作して屈曲部３０４を回転させ、ホース接続金具３０３の向きを変えることが出来る。
【００６２】
これによって、前記消火ホースにかかる負担（負荷）が軽減され、該消火ホースにおける変形の発生を未然に防止できる。
【００６３】
以上においては、エルボ３００がいわゆる９０度エルボである場合を例として説明したがこれに限るものでなく、例えば、４５度エルボであっても良い。
【００６４】
また、実施の形態１においては、分岐用継手７２の両端側に２つの蛇口７４，７４が設けられた場合を例として説明したがこれに限るものでなく、２つ以上の蛇口７４を備えるように構成しても良い。例えば、複数の蛇口７４，７４，…７４を有する所定のユニットを分岐用継手７２に接続することができる。
【００６５】
図７は本発明の実施の形態２に係る送水装置１００に取り付けられるユニットの一例を示す例示図である。図中、４００は斯かるユニットを示す。
【００６６】
ユニット４００は、分岐用継手７２に接続するための接続金具４０２と、接続金具４０２がその一端に設けられた給水管４０１と、給水管４０１に取り付けられた複数の蛇口７４，７４，…７４と、給水管４０１の下側に設けられており、倒立Ｖ字状の支脚４０３，４０３と、接続金具４０２に対応しており、他のユニット４００との接続を行なう接続金具４０４とを備えている。
【００６７】
作業者は、ユニット４００の接続金具４０２を分岐用継手７２の前記他の２つの開口の一方、又は両方に接続することにより、蛇口７４の数を増やすことができる。
【００６８】
また、作業者は、分岐用継手７２にユニット４００が接続されている状態において、該ユニット４００の接続金具４０４に、他のユニット４００の接続金具４０２を接続することにより、蛇口７４の数を更に増やすことができると共に、必要に応じて遠距離まで水を送ることが出来る。
【００６９】
実施の形態１と同様の部分については、同一の符号を付して詳細な説明を省略する。
【符号の説明】
【００７０】
１０  送水管
４２  可動棒
４０  把持部
２０  吐水部側接続部
３０  通水パイプ
５０  消火栓側接続部
７０  吐水部
７１  挿入部
７４  蛇口
１００  送水装置
２００  消火栓
２０１  出水端
【図１】
2014040738.tif 000003
【図２】
2014040738.tif 000004
【図３】
2014040738.tif 000005
【図４】
2014040738.tif 000006
【図５】
2014040738.tif 000007
【図６】
2014040738.tif 000008
【図７】
2014040738.tif 000009